(57)【要約】【課題】光源の光を効率的に利用できる表示装置を提供する。【解決手段】光源４１は、指針部５０の軸Ｃに対して上方向にオフセットして配され、光源４１から発せられた光の一部は、第１の入光面２０ｂ１から導光部材２０に入射し、円筒部２０ｃを通り、指針部５０に入射する。指針部５０に入射した光は、指針部５０の反射面５３で、指針５２の先端方向へ向けて反射する。また、光源４１から発せられた光の一部は、第２の入光面２０ｂ２から導光部材２０に入射し、円錐面２７の内面で屈折及び反射し、外周側の光反射面１１に向かう。【選択図】図２
2010048743.tif 000002
【特許請求の範囲】
【請求項１】
透光性を有し指標となる複数の意匠が含まれる意匠部を備えた表示パネルと、前記表示パネルの裏面へ光を照射する光源と、軸回りに回動し前記光源の光を内部に入射させて発光する指針と、前記光源の光を照射するときに前記表示パネルの前記意匠部及び前記指針に対して前記光源の光を案内する導光手段とを備える表示装置であって、
前記表示パネルの意匠部の前記複数の指標は、前記指針の軸に対して偏在しており、
前記光源は、前記複数の指標の偏在している方向にオフセットしている
ことを特徴とする表示装置。
【請求項２】
前記光源は、前記指針の軸から等距離に配された二つの光源からなり、かつ、前記二つの光源を結ぶ直線が前記意匠の偏在方向へオフセットしており、
前記導光手段は、前記二つの光源のそれぞれの発光位置に対向して配置され、かつそれぞれの光源から発せられた光を入射させる受光部と、前記指針の軸を挿通する軸穴を備えた軸筒部と、を備える
ことを特徴とする請求項１に記載の表示装置。
【請求項３】
前記光源は一つで構成され、前記光源は、前記指針の軸から前記意匠の偏在方向へオフセットしており、
前記導光手段は、前記光源の発光位置に対向して配置され、かつ前記光源から発せられた光を入射させる受光部と、前記指針の軸を挿通する軸穴を備えた軸筒部と、を備える
ことを特徴とする請求項１に記載の表示装置。
【請求項４】
前記軸筒部において、前記軸筒部の前記光源と対向する面は前記受光部として機能することを特徴とする請求項２又は３に記載の表示装置。
【請求項５】
前記表示パネルの裏側に形成される空間には、前記光源の光を前記表示パネルの裏面へ光を照射するために、前記導光手段から出射した光を、前記意匠部の方向へ反射させる反射手段を備えることを特徴とする請求項１から４までのいずれかに記載の表示装置。
【請求項６】
透光性を有し複数の指標となる意匠が含まれる意匠部を備えた表示パネルと、前記表示パネルの裏面へ光を照射する光源と、軸回りに回動し前記光源の光を内部に入射させて発光する指針と、前記光源の光を照射するときに前記表示パネルの前記意匠部及び前記指針に対して前記光源の光を案内する導光手段とを備える表示装置であって、
前記光源は、前記指針の軸から、前記指針の軸回りの振れ角の中心方向で外側に向かってオフセットしている
ことを特徴とする表示装置。
【発明の詳細な説明】
【技術分野】
【０００１】
本発明は、表示装置に係り、特に、光源からの光を表示パネルや指針等に導く導光部材を備え、例えば車両のメータとして機能する表示装置に関する。
【背景技術】
【０００２】
車両において、速度メータやエンジン回転速度メータとして機能する表示装置が一般的に知られ、表示（照明）の品位を向上させるために様々な技術が投入されている。図９は、そのような表示装置の断面形状を示した図である（例えば、特許文献１参照）。また、照明の光源の輝度むらを低減するために、前記の光源を側方にオフセットさせた表示装置も提案されている（例えば、特許文献２参照）。
【特許文献１】特開２００５−１５６５０３号公報
【特許文献２】特開２００６−１１３００４号公報
【発明の開示】
【発明が解決しようとする課題】
【０００３】
ところで、車両等に用いられる表示装置に対する改善要求は厳しいものがあり、所望の品位を実現しつつ、コスト低減が可能なシンプルな構造が常に求められている。例えば、特許文献１に開示の技術では、複数の光源を設けることで、所望の表示品位を実現したが、コストの点で改善の余地があった。また、特許文献２に開示の技術にあっては、光源の光の効率利用に関しては考慮されておらず、特許文献１同様に改善の余地があった。
【０００４】
本発明は、このような状況に鑑みてなされたものであり、上記課題を解決することができる技術を提供することを目的とする。
【課題を解決するための手段】
【０００５】
本発明のある態様は、表示装置に関する。この表示装置は、透光性を有し指標となる複数の意匠が含まれる意匠部を備えた表示パネルと、前記表示パネルの裏面へ光を照射する光源と、軸回りに回動し前記光源の光を内部に入射させて発光する指針と、前記光源の光を照射するときに前記表示パネルの前記意匠部及び前記指針に対して前記光源の光を案内する導光手段とを備える表示装置であって、前記表示パネルの意匠部の前記複数の指標は、前記指針の軸に対して偏在しており、前記光源は、前記複数の指標の偏在している方向にオフセットしている。
また、前記光源は、前記指針の軸から等距離に配された二つの光源からなり、かつ、前記二つの光源を結ぶ直線が前記意匠の偏在方向へオフセットしており、前記導光手段は、前記二つの光源のそれぞれの発光位置に対向して配置され、かつそれぞれの光源から発せられた光を入射させる受光部と、前記指針の軸を挿通する軸穴を備えた軸筒部とを備えてもよい。
また、前記光源は一つで構成され、前記光源は、前記指針の軸から前記意匠の偏在方向へオフセットしており、前記導光手段は、前記光源の発光位置に対向して配置され、かつ前記光源から発せられた光を入射させる受光部と、前記指針の軸を挿通する軸穴を備えた軸筒部と、備えてもよい。
また、前記軸筒部において、前記軸筒部の前記光源と対向する面は前記受光部として機能してもよい。
また、前記表示パネルの裏側に形成される空間には、前記光源の光を前記表示パネルの裏面へ光を照射するために、前記導光手段から出射した光を、前記意匠部の方向へ反射させる反射手段を備えてもよい。
本発明の別の態様も表示装置に関する。この表示装置は、透光性を有し指標となる意匠が複数含まれる意匠部を備えた表示パネルと、前記表示パネルの裏面へ光を照射する光源と、軸回りに回動し前記光源の光を内部に入射させて発光する指針と、前記光源の光を照射するときに前記表示パネルの前記意匠部及び前記指針に対して前記光源の光を案内する導光手段とを備える表示装置であって、前記光源は、前記指針の軸から、前記指針の軸回りの振れ角の中心方向で外側に向かってオフセットしている。
【発明の効果】
【０００６】
本発明によれば、光源の光を効率的に利用できる表示装置を提供できる。
【発明を実施するための最良の形態】
【０００７】
以下、発明を実施するための最良の形態（以下、「実施形態」という）を、図面を参照しつつ説明する。
【０００８】
＜第１の実施形態＞
本実施形態では、速度メータとして機能する表示装置において、光源を指針部の軸中心よりも上方向にオフセットして配置する。これによって、速度メータ等において、文字板の意匠部分（数字や図形）が上側に多く設けられた場合でも、それら意匠部分を効率的に照らす構造を実現する。
【０００９】
図１（ａ）は、本実施形態に係る表示装置１の外観（平面図）を示しており、例えば、車両の速度メータとして機能する。また、図１（ｂ）は、表示装置１の内部に配される導光部材２０を点線で示すとともに、指針部５０の可動範囲Ｒ１（振れ角）及び非可動範囲Ｒ２を示した図である。外観上は、表示装置１は略円形の外形を有しており、図示で下側の一部が取り除かれた形状となっている。また、図２（ａ）は図１の表示装置１のＡ−Ａ断面図である。さらに、図２（ｂ）は表示装置１のＡ−Ａ断面図において、後述する光源４１から出力された光の経路を追加して示した図であり、光の経路の説明に関係ない一部の構成の符号については省略している。
【００１０】
図示のように、この表示装置１は、プリズムとして機能する導光部材２０と、文字板３０と、配線板４０と、指針部５０とを備えている。外観上は、表示装置１（文字板３０）は略円形の外形を有しており、下側の一部が取り除かれた形状となっている。
【００１１】
ケース１０は、主に図２（ａ）に示すように、合成樹脂等を材料として、文字板３０の外形に合わせて略円筒状に形成されており、その内部に表示装置１を構成する部材の一部を収容して、それらを衝撃や埃等から保護している。ケース１０は、図示しないブラケット等を備え、車両のインスツルメントパネル等に取り付けられる。ケース１０は、光反射面１１と、導光部材取付部１２と、を有している。
【００１２】
光反射面１１は、ケース１０の一端部１０ａの周縁からケース１０の軸心Ｃに向かい徐々に配線板４０側に近づくように傾斜されたすり鉢状（円錐状）の形状を有している。光反射面１１には、例えば、鏡面加工やアルミニウム蒸着などの光を反射する処理が施されている。光反射面１１の略中央部分には楕円形状の貫通穴１１ｃが設けられ、その貫通穴１１ｃに導光部材固定部１２が、設けられている。本実施形態では、貫通穴１１ｃは、軸中心Ｃに対して上方向に僅かにオフセットして形成されている。
【００１３】
導光部材固定部１２は、光反射面１１の貫通穴１１ｃの周縁に沿って、光反射面１１から突出して設けられた円筒形状の突部をなしている。そして、貫通穴１１ｃに設けられる導光部材固定部１２、さらには、導光部材固定部１２に固定される導光部材２０は、軸中心Ｃに対して上方向に僅かにオフセットして配される。導光部材固定部１２は、長径方向（横方向）に沿って相対する位置に、矩形状に形成された一対の位置決め穴（図示せず）が設けられ、後述する導光部材２０のピン２０ｄ（例えば図３（ｂ）参照）が挿入される。また、導光部材固定部１２は、短径方向（縦方向）に沿って相対する位置の外周縁が、それぞれ内側に向かって凹むように形成されており、それら位置に一対の固定爪１３が設けられている。この導光部材取付部１２には、導光部材２０が重ねられて取り付けられる。
【００１４】
一対の固定爪１３は、導光部材取付部１２の内側からその外側に向けて互いに反対方向に延びて設けられており、その先端部分が後述する導光部材２０の係止端部２０ａを係止して、導光部材２０を導光部材取付部１２に固定する。一対の固定爪１３は、ケース１０と一体に形成されている。
【００１５】
非可動領域Ｒ２には、例えば、速度メータに加えて、燃料メータなどのサブメータを備えた複合メータとして表示装置を構成したときに、このサブメータのための指標を備えた文字板及び該指標を指示する指針等が表面に順次重ねて配置されたり、また、裏面側には、サブメータの指針を駆動するムーブメント等が配設される。なお、本実施形態はサブメータを備えず、それを構成する部材は配置されない。
【００１６】
図３は、導光部材２０の形状を示した図であり、図３（ａ）は平面図、図３（ｂ）は正面図、図３（ｃ）は側面図、図３（ｄ）は底面図（背面図）、図３（ｅ）は斜視図を示している。なお、ここで示す導光部材２０は例示であって、後述するように、光源４１から発せられた光を、指針５２及び文字板３０の意匠に対して所望の光量で供給できる形状であればよい。導光部材２０は、図１（ｂ）や図３（ａ）に示すように、平面視（上面視）において左右対称の第１及び第２の円形形状２０ｅ１、２０ｅ２の一部を重ねた形状で略長円形状であり、図示で横方向に延びる長軸Ｘ１上に第１及び第２の円形形状２０ｅ１、２０ｅ２の中心Ｃ１１、Ｃ１２が配されている。導光部材２０は、例えば、アクリル樹脂などの透明な合成樹脂等で形成されており、入射された光を直接的又は間接的に光反射面１１に導くプリズムとして機能している。なお、導光部材２０の機能については後に詳述する。また、図２に示すように、導光部材２０は、配線板４０と文字板３０の間の空間に、導光部材固定部１２に取り付けられて配置されている。このとき、図１（ｂ）や図２（ｂ）、図３（ａ）に示すように、軸中心Ｃ（指針軸５１の中心）に対して上方向に僅かにオフセットして配されている。
【００１７】
導光部材２０は、図１〜３に示すように、第１及び第２の係止端部２０ａ１，２０ａ２（両者を区別しないときは、単に「係止端部２０ａ」という）と、入光面２０ｂと、円筒部２０ｃと、左右一対のピン２０ｄと、導光部２０ｅとを備えている。
【００１８】
導光部２０ｅは、上述したように平面視略長円形状であり、第１及び第２の円形形状２０ｅ１、２０ｅ２の一部を重ねた形状であって、短手方向（軸Ｙ１方向）に相対する外周縁の中央部分がそれぞれ内側に向けて絞られるように形成されている。
【００１９】
導光部２０ｅの上面側、即ち、導光部材取付部１２と重ねられる面と反対に位置する面側は、第１及び第２の円形形状２０ｅ１，２０ｅ２のそれぞれの外周縁から中心２０ｅ３，２０ｅ４（図２（ａ）や図３（ａ）参照）に向かって徐々に導光部２０ｅの下面側、即ち、導光部材取付部１２と重ねられる面側に近づくように円錐面２７がすり鉢状に形成されている。導光部２０ｅの下面側は、導光部材取付部１２及びその内側の貫通穴１１ｃと嵌合するように、略円錐台形状に突出して形成されている。
【００２０】
導光部２０ｅの中心には、導光部２０ｅを貫通する円筒部２０ｃが設けられている。また、図２（ａ）や図３（ｄ）に示すように、導光部２０ｅの下面側の面は、後述する光源４１が出力する光を導入する入光面２０ｂ（２０ｂ１，２０ｂ２）が構成されている。具体的には、円筒部２０ｃの環状の端部が第１の入光面２０ｂ１であり、その入光面２０ｂ１の外側に位置し円錐面２７の反対側の面が第２の入光面２０ｂ２である。また、導光部２０ｅの下面側でその長手方向に相対する外周縁近傍には、円柱状に突出した一対のピン２０ｄが設けられている。
【００２１】
導光部２０ｅの下面側でその短手方向に相対する外周縁近傍には、先端が外側、即ち、係止突起部１３ｂと対向する方向に向けて突出するように断面略Ｌ字状に形成された一対の係止端部２０ａ１，２０ａ２が設けられている。
【００２２】
文字板３０は、透光性の合成樹脂で平板状に形成されており、その表面に現在の速度測定量を表示するための文字（例えば「０」〜「１８０」の数字）や線状の図形等の複数の指標３１を備えている。また、文字板３０は、図１に示すように、その裏面が光反射面１１と相対して、ケース１０の一端部１０ａ側に図示しない係止構造（例えば、互いに係止し合う複数の取付爪等）によって固定されている。文字板３０の中央には、指針軸５１を挿通する貫通穴が設けられている。
【００２３】
文字板３０の複数の指標３１を設ける箇所を除いて、文字板３０の表面側に不透光性着色料が印刷されており、文字板３０の裏面側に透光性着色料が印刷されている。そのため、導光部材２０及び光反射面１１によって、文字板３０の裏面側から光が照射されると、複数の指標３１を通過してそれらを発光させる。
【００２４】
配線板４０は、薄膜状の導体からなる配線パターンが設けられた周知のプリント基板であり、その一方の面には、導光部材２０に入光させる光を発する光源４１が設けられ、その他方の面には、速度測定量に応じて指針５２を駆動するムーブメント４２が設けられている。また、これら以外にも、表示装置１の機能を実現するための図示しない電子部品が、この配線板４０上に設けられている。配線板４０は、二つの光源４１（第１及び第２の光源４１ａ，４１ｂ）が設けられた面をケース１０内側に向けて、ケース１０の他端部１０ｂに図示しない係止構造（例えば、互いに係止し合う複数の取付爪等）によって固定されている。
【００２５】
光源４１は、例えば、表面実装タイプの周知の発光ダイオード（ＬＥＤ）であり、ケース１０の内側に位置する配線板４０の一方の面上で、且つ、導光部材２０の第１の入光面２０ｂ１と相対する位置に配設されている。図４は、図３（ｄ）の導光部材２０の底面図について、第１及び第２の光源４１ａ、４１ｂを重ね合わせて模式的に示した図である。より具体的には、第１及び第２の円形形状２０ｅ１，２０ｅ２のそれぞれの中心２０ｅ３，２０ｅ４に相対する位置に、第１及び第２の光源４１ａ，４１ｂが配置されている。つまり、第１及び第２の円形形状２０ｅ１，２０ｅ２のそれぞれの中心２０ｅ３，２０ｅ４（図２（ａ）では軸Ｄ）が指針軸５１（図２（ａ）では軸Ｃ）に対してオフセット量ΔＴだけ僅かにオフセットしていることから、第１及び第２の光源４１ａ，４１ｂを結んだ直線（軸β）は指針軸５１に対して図示において上方向にオフセットする。このオフセット量ΔＴは、数ｍｍ程度である。光源４１は、電源が供給されることによって、第１及び第２の入光面２０ｂ１，２０ｂ２に向けて光を発する。
【００２６】
ムーブメント４２は、周知のステッピングモータであり、ケース１０の外側に位置する配線板４０の他方の面上に図示しないねじ等によって固定されている。ムーブメント４２の回転軸４２ａは、配線板４０に設けられた図示しない貫通穴を通って、その先端がケース１０内側に位置づけられている。ムーブメント４２は、図示しない制御装置から送られて来る速度測定量に応じた制御信号に基づいて、回転軸４２ａを正逆方向に回転させる。
【００２７】
指針部５０は、文字板３０の表面に位置づけられ、速度測定量に応じて文字板３０に設けられた複数の指標３１を指示する指針５２、一方の端部が指針５２に浮接され、他方の端部がムーブメフト４２の回転軸４２ａに固定され、この回転軸４２ａの回転を指針５２に伝える指針軸５１と、を有している。指針部５０は、透明なアクリル樹脂などの合成樹脂で形成されており、指針軸５１の他方の端部近傍に設けられた導光部材２０の第１の入光面２０ｂ１から、光源４１の光を入光させることで指針５２が発光する。そのため、指針５２の指針軸５１近傍は、断面視で斜面５５を形成し、その斜面５５が第１の入光面２０ｂ１からの光を反射し、指針５２の先端方向へ導いている。
【００２８】
つぎに、光源４１から出力される光の経路、つまり、導光部材２０における光の経路について、主に図２（ｂ）にもとづいてまとめて説明する。
【００２９】
上述したように、光源４１は、指針部５０の軸Ｃに対して上方向にオフセットして配されている。そして、光源４１から発せられた光の一部は、第１の入光面２０ｂ１から導光部材２０に入射し、円筒部２０ｃを通り、指針部５０に入射する。指針部５０に入射した光は、指針部５０の反射面５３で、指針５２の先端方向へ向けて反射する。これによって、指針５２が所望の明るさで発光する。また、光源４１から発せられた光の一部は、第２の入光面２０ｂ２から導光部材２０に入射し、円錐面２７の内面で屈折及び反射し、出射面である外周面２８から出射して外周側の光反射板１１に向かう。そして、その光は光反射板１１で文字板３０へ向けて反射して、文字板３０の意匠（指標）を所望の明るさで照射する。
【００３０】
上述の通り、指針５２は、指針軸５１（軸Ｃ）を中心として、下側の９０度の範囲を非可動範囲Ｒ２としており、この範囲は速度メータの速度表示には使用されていない。つまり、文字板３０では、上側の可動範囲Ｒ１に対する光が重要となり、上述の構成によると、表示に重要な文字板３０の上側領域に配置された意匠に効率的に光を導入できる。言い換えると、文字板３０において、指針５２で指し示す意匠部分（指標）が多く配された領域側に光源４１を配することで、意匠部分を効率的に照らす構造を実現することができる。その結果、多数の光源を設けなくとも所望の表示品位を実現でき、例えば設計時における、光源４１の選択の自由度が向上する。また、シンプルな構成でありコスト上昇に繋がらない。
【００３１】
＜第２の実施形態＞
第１の実施形態では、意匠が集中している上側に、第１及び第２の光源４１を左右対称にオフセットして配したが、本実施形態では、一つの光源１４１とし、指針軸１５１から所定量（ΔＴ１）だけオフセットして配置している。また、それにあわせて、導光部材１２０を、一つの円形形状１２０ｅからなる構成とした。以下、図面を参照して説明するが、第１の実施形態と同様の一部構成については同一符号を付して説明を省略し、主に導光部材１２０について説明する。
【００３２】
図５（ａ）は、本実施形態に係る表示装置１０１の外観を示しており、図５（ｂ）は、表示装置１０１の内部に配される導光部材１２０を点線で示すとともに、指針部１５０の可動範囲Ｒ１１（振れ角）及び非可動範囲Ｒ１２を示した図である。また、図６（ａ）は、図５（ａ）のＡ−Ａ断面図、図６（ｂ）は図５（ｂ）のＢ−Ｂ断面図を示している。
【００３３】
図示のように、この表示装置１０１は、プリズムとして機能する導光部材１２０と、文字板３０と、配線板４０と、指針部１５０とを備えている。外観上は、表示装置１０１（文字板３０）は略円形の外形を有している。なお、第１の実施形態と同様に下側の一部が取り除かれた形状であってもよい。
【００３４】
ケース１０は、光反射面１１１と、導光部材取付部１１２と、を有している。光反射面１１１は、ケース１０の一端部１０ａの周縁からケース１０の軸心Ｃに向かい徐々に配線板４０側に近づくように傾斜されたすり鉢状（円錐状）の形状の外周部光反射面１１１ａと、その内側に円環上に文字板３０と平行に形成された内周部光反射面１１１ｂとから構成されている。図５や図６に示すように、内周部光反射面１１１ｂには、左右方向中央の位置かつ上下方向僅かに上方向にオフセットした位置に貫通穴１１１ｃが形成され、その貫通穴１１１ｃには導光部材１２０を取り付けるための導光部材固定部１１２が設けらえている。
【００３５】
図７は、導光部材１２０の形状を示した図であり、図７（ａ）は平面図、図７（ｂ）は正面図、図７（ｃ）は底面図（背面図）を示している。導光部材１２０は、図５（ｂ）や図７（ａ）に示すように、平面視（上面視）において略円形の形状の導光部１２０ｅを有しており、すり鉢状に形成されている。そして図６に示すように、第１の実施形態同様に、導光部材１２０は、配線板４０と文字板３０の間の空間に、導光部材固定部１１２に取り付けられて配置されている。
【００３６】
導光部１２０ｅの上面側、即ち、導光部材取付部１１２と重ねられる面と反対に位置する面側は、外周縁から中心１２０ｅ３に向かって徐々に導光部１２０ｅの配線板４０側、即ち、導光部材取付部１１２と重ねられる面側に近づくように円錐面１２７がすり鉢状に形成されている。導光部１２０ｅの下面側は、導光部材取付部１１２及びその内側の貫通穴１１１ｃと嵌合するように、略円錐台形状に突出して形成されている。
【００３７】
導光部１２０ｅの平面視において中心からやや下側方向に位置する部分に、導光部１２０ｅを貫通する円筒部１２０ｃが設けられている。そして、導光部１２０ｅの下面側の面、より具体的には、円筒部１２０ｃの配線板４０側の環状の面は、後述する光源１４１が発する光を導入する入光面１２０ｂとして機能する。
【００３８】
導光部１２０ｅの下面側にはその上下方向に相対する外周縁近傍には、先端が外側に向けて突出するように断面略Ｌ字状に形成された一対の係止端部１２０ａが設けられている。つまり、第１の実施形態では、左右対称に係止端部２０ａ（２０ａ１，２０ａ２）が設けられたが、本実施形態では、上下対称に係止端部１２０ａが設けられている。
【００３９】
つぎに、光源１４１から出力される光の経路について、主に図８に基づいて説明する。図８は、図６（ａ）の導光部材２０を拡大して、光路を追加して示した図である。
【００４０】
図６で示すように、光源１４１は、指針部１５０の軸Ｃに対して軸Ｄで示される位置へ上方向にオフセット量ΔＴ１だけオフセットして配されている。そして、光源１４１から発せられた光は、入光面１２０ｂから導光部材１２０に入射する。そして、入射した光の一部は、円筒部１２０ｃを通り、指針部１５０に入射する。指針部１５０に入射した光は、指針部１５０の反射面１５３で、指針１５２の先端方向へ向けて反射する。これによって、指針１５２が所望の明るさで発光する。また、導光部材１２０に入射した光の一部は、円錐面１２７の内面で屈折及び反射し、外周部光反射面１１１ａに向かう。そして、その光は外周部光反射面１１１ａで文字板３０へ向けて反射して、文字板３０の意匠（指標３１）を所望の明るさで照射する。
【００４１】
このような構成の表示装置１０１によれば、第１の実施形態と同様の効果を実現することができる。
【００４２】
以上、本発明を実施形態を基に説明した。この実施形態は例示であり、それらの各構成要素及びその組合せにいろいろな変形例が可能なこと、またそうした変形例も本発明の範囲にあることは当業者に理解されるところである。
【図面の簡単な説明】
【００４３】
【図１】第１の実施形態に係る、表示装置の外観を示した図である。
【図２】第１の実施形態に係る、表示装置の断面図である。
【図３】第１の実施形態に係る、導光部材の形状を示した図である。
【図４】第１の実施形態に係る、図３（ｄ）の導光部材の底面図について、第１及び第２の光源を重ね合わせて模式的に示した図である。
【図５】第２の実施形態に係る、表示装置の外観を示した図である。
【図６】第２の実施形態に係る、表示装置の断面図である。
【図７】第２の実施形態に係る、導光部材の形状を示した図である。
【図８】第２の実施形態に係る、図６（ａ）の導光部材を拡大して、光路を追加して示した図である。
【図９】従来技術に係る、表示装置の断面図である。
【符号の説明】
【００４４】
１、１０１  表示装置
１０  ケース
１１  光反射面
１１ｃ  貫通穴
１２  導光部材固定部
２０、１２０  導光部材
２０ｂ  入光面
２０ｃ  円筒部
２０ｄ  ピン
２０ｅ  導光部
２７  円錐面
３０  文字板
４１  光源
５０  指針部
５１  指針軸
５２  指針
１１１ａ  外周部光反射面
１１１ｂ  内周部光反射面
【図１】
2010048743.tif 000003
【図２】
2010048743.tif 000004
【図３】
2010048743.tif 000005
【図４】
2010048743.tif 000006
【図５】
2010048743.tif 000007
【図６】
2010048743.tif 000008
【図７】
2010048743.tif 000009
【図８】
2010048743.tif 000010
【図９】
2010048743.tif 000011